(57)【要約】  トレイ（２）と、スライド部材（２２）と、リブアーム（３）と、リブアーム移動手段であるアーム移動カム機構（４）とを備える。アーム移動カム機構（４）は、スライド部材（２２）によりシャッター（６２）が閉じる前に、リブアーム（３）をシャッター（６２）と接触しない回避位置に移動させ、スライド部材（２２）によりシャッター（６２）が開いた際に、リブアーム（３）をカートリッジリブ（６１ｂ）のトレイ側に接触させ、このカートリッジリブ（６１ｂ）をトレイ側から押圧する押圧位置まで移動させる。
2007066736.tif 000002
【特許請求の範囲】
【請求項１】
少なくともカートリッジ（６）に収納された収納ディスク（１００）に記録された情報の再生あるいは当該収納ディスク（１００）への情報の記録の少なくともいずれか一方を行うディスク装置（１−１；１−２；１−３）において、
前記カートリッジ（６）を載置するカートリッジ載置面（２１）を有し、当該カートリッジ（６）を載置するディスク載置位置から前記収納ディスク（１００）の再生記録を行うディスク再生位置までを移動するトレイ（２）と、
前記トレイ（２）に載置されたカートリッジ（６）のシャッター（６２）を前記トレイ（２）がディスク再生位置に移動した際には開くスライド部材（２２）と、
前記カートリッジ（６）が載置されたトレイ（２）がディスク再生位置に移動した際における当該カートリッジ（６）に形成されたカートリッジリブ（６１ｂ）と対向し、前記カートリッジ載置面（２１）に対して回転自在に支持されるリブアーム（３）と、
前記シャッター（６２）が閉じる前に、前記リブアーム（３）を当該シャッター（６２）と接触しない回避位置に移動させ、前記シャッター（６２）が開いた際に、前記リブアーム（３）を当該カートリッジリブ（６１ｂ）のトレイ側に接触させ、当該カートリッジリブ（６１ｂ）をトレイ側から押圧する押圧位置まで移動させるリブアーム移動手段と、
前記トレイ（２）がディスク再生位置に移動した際に、当該トレイ（２）に載置されたカートリッジ（６）をトレイ側に押圧するカートリッジ押さえ手段（７）と、
を備えることを特徴とするディスク装置（１−１；１−２；１−３）。
【請求項２】
リブアーム移動手段は、
少なくとも前記スライド部材（２２）および前記リブアーム（３）のそれぞれに別個に形成されるカムピン（４１）およびカム溝（４２）とからなるアーム移動カム機構（４）を有し、
前記カムピン（４１）は、前記スライド部材（２２）の移動により前記カム溝（４２）内を移動し、
前記カム溝（４２）は、少なくとも前記スライド部材（２２）が前記リブアーム（３）に対して移動する方向と傾斜する方向に形成され、前記カムピン（４１）が通過することで、前記リブアーム（３）が前記回避位置から前記押圧位置までを移動する傾斜領域（４２ｂ）を有することを特徴とする請求項１に記載のディスク装置（１−１）。
【請求項３】
リブアーム移動手段は、
前記リブアーム（３）を前記回避位置から前記押圧位置に向かう回転方向に付勢するアーム付勢手段（８１）と、
前記シャッター（６２）が閉じている間は、前記リブアーム（３）を前記回避位置に維持するアーム維持手段（８２，８３）と、
を備えることを特徴とする請求項１に記載のディスク装置（１−２）。
【請求項４】
リブアーム移動手段は、
前記リブアーム（３）を前記押圧位置から前記回避位置に向かう回転方向に付勢するアーム付勢手段（９１）と、
前記シャッター（６２）が開いている間は、前記リブアーム（３）を前記押圧位置に維持するアーム維持手段（９２）と、
を備えることを特徴とする請求項１に記載のディスク装置（１−３）。
【発明の詳細な説明】
【技術分野】
【０００１】
本発明は、ディスク装置に関し、さらに詳しくは、少なくともカートリッジに収納された収納ディスクに記録された情報の再生あるいはこの収納ディスクへの情報の記録の少なくともいずれか一方を行うディスク装置に関するものである。
【背景技術】
【０００２】
ディスク装置には、カートリッジに収納されていない未収納ディスクのみならず、カートリッジに収納されている収納ディスクに記録された情報の再生あるいは当該ディスクへの情報の記録の少なくともいずれか一方を行うものがある。このようなカートリッジ対応型のディスク装置では、カートリッジをトレイのカートリッジ載置面に載置して、このトレイがディスク載置位置からディスク再生位置まで移動することで、収納ディスクをディスク装置に搬入する。【０００３】
トレイがディスク再生位置に移動した際には、このトレイに載置されたカートリッジのシャッターが開かれる。これにより、カートリッジに収納されている収納ディスクが外部露出する。ディスク装置は、このディスク装置に搬入され、外部に露出された収納ディスクを保持し、回転する。そして、例えばピックアップにより、この搬入された収納ディスクに対して再生あるいは記録を行う。【０００４】
このようなカートリッジ対応型のディスク装置では、収納ディスクの回転中にカートリッジの移動をできる限り抑える必要がある。これは、回転するディスクとカートリッジとのクリアランスを確保するためである。そこで、従来のカートリッジ対応型のディスク装置では、例えば、特許文献１に示すように、トレイがディスク再生位置に移動した際に、トレイに載置されたカートリッジをトレイ側に押圧する押さえ部材（カートリッジ押さえ手段）が備えられている。【０００５】
【特許文献１】特開２００４−１１１００９号公報
【発明の開示】
【発明が解決しようとする課題】
【０００６】
ところで、カートリッジには、シャッターが開かれた際に、収納されている収納ディスクを外部に露出するための切欠部が形成されている。この切欠部は、トレイに載置された際における搬入方向に開口するＵ字形状である。この切欠部の開口側には、カートリッジリブが形成されている。このカートリッジリブは、カートリッジが載置されたトレイがディスク再生位置に移動した際に、上記ピックアップなどを搭載したトラバースメカと対向することとなる。従って、カートリッジリブは、トラバースメカに搭載された部品と干渉することを防止するために、その厚さが薄く形成されている。【０００７】
従って、このカートリッジリブは、ディスク装置が発生する熱や経年変化により変形し、規定寸法と異なってしまう虞がある。これにより、トレイにカートリッジを載置した際に、変形したカートリッジリブがトラバースメカに搭載された部品と干渉する虞がある。【０００８】
この発明は、上述した課題をその一例として解決するものであって、変形したカートリッジリブがトラバースメカに搭載されている部品と干渉することを抑制することができるディスク装置を提供することを目標とする。
【課題を解決するための手段】
【０００９】
本発明の請求項１に記載のディスク装置は、少なくともカートリッジに収納された収納ディスクに記録された情報の再生あるいは当該収納ディスクへの情報の記録の少なくともいずれか一方を行うディスク装置において、前記カートリッジを載置するカートリッジ載置面を有し、当該カートリッジを載置するディスク載置位置から前記収納ディスクの再生記録を行うディスク再生位置までを移動するトレイと、前記トレイに載置されたカートリッジのシャッターを前記トレイがディスク再生位置に移動した際には開くスライド部材と、前記カートリッジが載置されたトレイがディスク再生位置に移動した際における当該カートリッジに形成されたカートリッジリブと対向し、前記カートリッジ載置面に対して回転自在に支持されるリブアームと、前記シャッターが閉じる前に、前記リブアームを当該シャッターと接触しない回避位置に移動させ、前記シャッターが開いた際に、前記リブアームを当該カートリッジリブのトレイ側に接触させ、当該カートリッジリブをトレイ側から押圧する押圧位置まで移動させるリブアーム移動手段と、少なくとも前記トレイがディスク再生位置に移動した際に、当該トレイに載置されたカートリッジをトレイ側に押圧するカートリッジ押さえ手段と、を備えることを特徴とする。
【発明の効果】
【００１０】
本発明にかかるディスク装置は、変形したカートリッジリブがトラバースメカに搭載されている部品と干渉することを抑制することができるという効果を奏する。
【図面の簡単な説明】
【００１１】
【図１−１】図１−１は、この実施例１にかかるディスク装置の構成例（平面図）を示す図である。
【図１−２】図１−２は、図１−１のＥ−Ｅ断面図である。
【図１−３】図１−３は、図１−１の要部拡大図である。
【図１−４】図１−４は、図１−２の要部拡大図である。
【図２−１】図２−１は、この実施例１にかかるディスク装置の動作説明図である。
【図２−２】図２−２は、図２−１のＦ−Ｆ断面図である。
【図２−３】図２−３は、図２−２の要部拡大図である。
【図３−１】図３−１は、この実施例１にかかるディスク装置の動作説明図である。
【図３−２】図３−２は、図３−１のＧ−Ｇ断面図である。
【図３−３】図３−３は、図３−２の要部拡大図である。
【図４−１】図４−１は、この実施例１にかかるディスク装置の動作説明図である。
【図４−２】図４−２は、図４−１のＨ−Ｈ断面図である。
【図４−３】図４−３は、図４−２の要部拡大図である。
【図５−１】図５−１は、実施例２にかかるディスク装置の構成例を示す図である。
【図５−２】図５−２は、実施例２にかかるディスク装置の構成例を示す図である。
【図５−３】図５−３は、実施例２にかかるディスク装置の構成例を示す図である。
【図６−１】図６−１は、実施例３にかかるディスク装置の構成例を示す図である。
【図６−２】図６−２は、実施例３にかかるディスク装置の構成例を示す図である。
【図７−１】図７−１は、実施例３にかかるディスク装置の構成例を示す図である。
【図７−２】図７−２は、実施例３にかかるディスク装置の構成例を示す図である。
【符号の説明】
【００１２】
１−１，１−２，１−３  ディスク装置
２  トレイ
２１  カートリッジ載置面
２１ａ，２１ｂ  未収納ディスク載置面
２１ｃ  位置決めピン
２１ｄ〜ｆ  支持部材
２１ｇ，ｈ  摺動溝
２２  スライド部材
２２ａ，ｂ  摺動突起
２２ｃ  突出部
２３  開口部
２４，２５  軸受
３  リブアーム
３１  本体部
３２，３３  回転軸
３４  接触部
３６  回転部
３７  摺動部
３８  回転軸
４  アーム移動カム機構
４１  カムピン
４２  カム溝
４２ａ  回避位置領域
４２ｂ  傾斜領域
４２ｃ  押圧位置領域
５  ディスク装置本
５１  収納空間部
５２  搬出入口
５３  扉部材
６  カートリッジ
６１  本体部
６１ａ  切欠部
６１ｂ  カートリッジリブ
６１ｃ  収納部
６２  シャッター
６２ａ  先端部
６３  位置決め穴
７  カートリッジ押さえ部材
８  リブアーム移動手段
８１  アーム付勢部材
８２  摺動ピン
８３  摺動面
８３ａ  回避位置面
８３ｂ  傾斜面
８３ｃ  押圧位置面
９  リブアーム移動手段
９１  アーム付勢部材
９２  維持部材
９２ａ  回避位置部
９２ｂ  押圧位置部
１００  収納ディスク
２００  未収納ディスク
【発明を実施するための最良の形態】
【００１３】
以下、この発明につき図面を参照しつつ詳細に説明する。なお、下記実施の形態および実施例によりこの発明が限定されるものではない。また、下記実施の形態および実施例における構成要素には、当業者が容易に想定できるもの或いは実質的に同一のものが含まれる。なお、下記の実施例では、カートリッジに収納された収納ディスクおよびカートリッジに収納されていない未収納ディスクのいずれかに記録された情報の再生あるいはこの収納ディスクあるいは未収納ディスクのいずれかへの情報の記録を行うことができるディスク装置について説明するが、これに限定されるものではない。例えば、トレイにカートリッジ載置面のみしか形成されておらず、カートリッジに収納された収納ディスクのみに記録された情報の再生およびディスクへの情報の記録を行うことができるディスク装置であっても良い。【００１４】
〔実施の形態１〕
この実施の形態１に係るディスク装置は、少なくともカートリッジに収納されたディスクに記録された情報の再生あるいは当該ディスクへの情報の記録の少なくともいずれか一方を行い、トレイと、スライド部材と、リブアームと、リブアーム移動手段とを備える。トレイは、カートリッジを載置するカートリッジ載置面が形成されている。このトレイは、このカートリッジが載置できるディスク載置位置からこの収納ディスクの再生記録を行うディスク再生位置までを移動するものである。スライド部材は、トレイに載置されたカートリッジのシャッターをこのトレイがディスク再生位置に移動した際には開くものである。リブアームは、カートリッジが載置されたトレイがディスク再生位置に移動した際に、当該カートリッジに形成されたカートリッジリブと対向するものであり、このカートリッジ載置面に対して回転自在に支持されるものである。リブアーム移動手段は、シャッターが閉じる前に、リブアームをシャッターと接触しない回避位置に移動させ、シャッターが開いた際に、リブアームをカートリッジリブのトレイ側に接触させ、当該カートリッジリブをトレイ側から押圧する押圧位置まで移動させるものである。【００１５】
この実施の形態１に係るディスク装置では、上記構成を特徴とすることで、リブアームは、リブアーム移動手段によりシャッターが開いた際に、外部に露出するカートリッジリブのトレイ側に接触し、このカートリッジリブをトレイ側から押圧する。従って、カートリッジリブが変形していても、リブアームによりこの変形したカートリッジリブは、トレイ側から押圧される。ここで、トレイに載置されたカートリッジは、カートリッジ押さえ手段によりトレイ側に押圧されている。従って、カートリッジがカートリッジ載置面から浮き上がることがないので、リブアームは、変形したカートリッジリブをトレイ側から押圧することで、トレイ側と反対側に変形させることができる。これにより、変形しているカートリッジリブは、リブアームにより押圧されていない場合と比較して、トラバースメカに搭載されている部品から離れることができ、変形したカートリッジリブがトラバースメカに搭載された部品と干渉することを抑制することができる。【００１６】
〔実施の形態２〕
この実施の形態２に係るディスク装置は、上記実施の形態１に係るディスク装置において、リブアーム移動手段は、アーム移動カム機構を有する。このアーム移動カム機構は、少なくともスライド部材およびリブアームのそれぞれに別個に形成されるカムピンおよびカム溝とからなる。カムピンは、スライド部材の移動によりカム溝内を移動するものである。カム溝は、少なくともスライド部材がリブアームに対して移動する方向と傾斜する方向に形成され、カムピンが通過することで、リブアームが回避位置から押圧位置までを移動する傾斜領域を有する。【００１７】
この実施の形態２に係るディスク装置では、上記構成を特徴とすることで、スライド部材の移動に連動して、リブアームの移動を行うことができるので、簡単な構成で、変形したカートリッジリブがトラバースメカに搭載された部品と干渉することを抑制することができる。【００１８】
〔実施の形態３〕
この実施の形態３に係るディスク装置は、上記実施の形態１に係るディスク装置において、リブアーム移動手段は、アーム付勢手段と、アーム規制手段とを備える。アーム付勢手段は、リブアームを回避位置から押圧位置に向かう回転方向に付勢するものである。アーム規制手段は、シャッターが閉じている間は、リブアームの回避位置からの移動を規制するものである。【００１９】
この実施の形態３に係るディスク装置では、上記構成を特徴とすることで、アーム規制手段によりリブアームの回避位置からの移動を規制することができるので、簡単な構成で、変形したカートリッジリブがトラバースメカに搭載された部品と干渉することを抑制することができる。【００２０】
〔実施の形態４〕
この実施の形態４に係るディスク装置は、上記実施の形態１に係るディスク装置において、リブアーム移動手段は、アーム付勢手段と、アーム規制手段とを備える。アーム付勢手段は、リブアームを押圧位置から回避位置に向かう回転方向に付勢するものである。アーム規制手段は、シャッターが開いている間は、リブアームの押圧位置からの移動を規制するものである。【００２１】
この実施の形態４に係るディスク装置では、上記構成を特徴とすることで、アーム規制手段によりリブアームの押圧位置からの移動を規制することができるので、簡単な構成で、変形したカートリッジリブがトラバースメカに搭載された部品と干渉することを抑制することができる。
【実施例１】
【００２２】
図１−１〜図１−４は、この実施例１にかかるディスク装置の構成例を示す図である。図２−１〜図４−３は、この実施例１にかかるディスク装置の動作説明図である。カートリッジが載置されたトレイがディスク再生位置に移動した際のディスク装置を示す図である。この実施例では、カートリッジに収納されている収納ディスクおよびカートリッジに収納されていない未収納ディスクのいずれをも載置することができるトレイを備え、収納ディスクあるいは未収納ディスクのいずれかに記録された情報の再生およびこの収納ディスクあるいは未収納ディスクのいずれかへの情報の記録を行うことができるディスク装置について説明する。なお、収納ディスクおよび未収納ディスクは、ＤＶＤ（Digital Versatile Disc）、ＣＤ（Compact Disc）、ＢＤ（Blu-ray Disc）、ＨＤＤＶＤ（High Definition Digital Versatile Disc）などの光ディスクを含むものである。【００２３】
ディスク装置１−１は、図１−１から図１−４に示すように、トレイ２と、リブアーム３と、アーム移動カム機構４と、ディスク装置本体５と、複数のカートリッジ押さえ部材７とにより構成されている。トレイ２、リブアーム３、アーム移動カム機構４、複数のカートリッジ押さえ部材７は、ディスク装置本体５内に収納されている。このディスク装置本体５には、トレイ２を搬出入方向に移動させるトレイ移動手段、例えば図示しない駆動モータが収納されている。また、このディスク装置本体５には、トレイ２の移動に連動して、昇降する図示しないトラバースメカが収納されている。【００２４】
なお、このトラバースメカには、例えばターンテーブルなどのカートリッジ６に収納された収納ディスク１００（図３−１の二点鎖線）あるいはカートリッジに収納されていない未収納ディスク２００（図１−１の二点鎖線）をクランプするディスククランプ手段、例えばスピンドルなどのターンテーブルにクランプされた収納ディスク１００あるいは未収納ディスク２００を回転させるディスク回転手段や、例えばピックアップなどのこの収納ディスク１００あるいは未収納ディスク２００に記録された情報の読み込みおよび収納ディスク１００あるいは未収納ディスク２００への情報の書き込みを行う再生記録手段などが搭載されている。なお、図示しないトレイ移動手段、ディスク回転手段、再生記録手段などの制御は、図示しない制御装置により行われる。ここで、搬出入方向とはカートリッジ６に収納された収納ディスク１００あるいは未収納ディスク２００をディスク装置１−１に搬出入する方向をいい、搬出方向とはトレイ２をディスク再生位置からディスク載置位置に向かって移動させる方向をいい、搬入方向はトレイ２をディスク載置位置からディスク再生位置に向かって移動させる方向をいう。【００２５】
トレイ２は、カートリッジ６あるいは未収納ディスク２００を載置するディスク載置位置（図２−１参照）からこの載置されたカートリッジ６あるいは未収納ディスク１００を、収納ディスク１００あるいは未収納ディスク２００の再生記録を行うディスク再生位置まで移動するものである。なお、このトレイ２の移動は、図示しないトレイ移動手段により行われる。つまり、図示しないトレイ移動手段は、カートリッジ６あるいは未収納ディスク２００をディスク装置１−１に搬入する際に、トレイ２をディスク載置位置からディスク再生位置まで移動させ、カートリッジ６あるいは未収納ディスク２００をディスク装置１−１から搬出する際に、トレイ２をディスク再生位置からディスク載置位置まで移動するものである。【００２６】
トレイ２は、図１−１および図１−４に示すように、搬出入方向におけるほぼ中央部に、カートリッジ載置面２１が形成されている。このカートリッジ載置面２１は、カートリッジ６を載置することができる面積を有している。このカートリッジ載置面２１には、未収納ディスク載置面２１ａ，２１ｂと、位置決めピン２１ｃと、２つのレバー収納部２１ｄとが形成されている。なお、２１ｄ〜ｅは、カートリッジ載置面２１にカートリッジ６を載置した際に、このカートリッジ６のトレイ側の面を支持する支持部材である。【００２７】
未収納ディスク載置面２１ａ，２１ｂは、未収納ディスク２００を載置するためものである。この未収納ディスク載置面２１ａ，２１ｂは、このカートリッジ載置面２１のほぼ中央部を凹ませることで形成されている。なお、未収納ディスク載置面２１ａには、直径が大きい未収納ディスク２００（１２ｃｍのディスク）を載置することができ、未収納ディスク載置面２１ｂには、直径が小さい未収納ディスク（例えば、８ｃｍのディスク）を載置することができる。【００２８】
位置決めピン２１ｃは、カートリッジ載置面２１に載置されたカートリッジ６の位置決め穴６３（図３参照）に入り込むものである。この位置決めピン２１ｃは、カートリッジ載置面２１のうち、上記未収納ディスク載置面２１ａ，２１ｂを除く部分に、突出して形成されている。【００２９】
また、このトレイ２には、カートリッジ６のシャッター６２を開く、スライド部材２２が設けられている。このスライド部材２２は、トレイ２に形成された摺動溝２１ｇ，２１ｈを摺動突起２２ｂ，２２ａがそれぞれ摺動することで、トレイ２の搬出入方向と直交する方向である幅方向（図１−１の左右方向）に移動自在に支持されている。このスライド部材２２には、幅方向に移動する際に、カートリッジ載置面２１に載置されたカートリッジ６のシャッター６２の先端部６２ａと接触することで、このカートリッジ６のシャッター６２を開く突出部２２ｃが搬出方向に突出して形成されている。なお、このスライド部材２２の幅方向への移動、特にスライド部材２２によりシャッター６２を開くことは、このスライド部材２２とディスク装置本体５との間に配置された図示しないスライドカム機構により行われる。このスライドカム機構は、スライド部材２２のディスク装置本体５と対向する面に形成された図示しないスライドカムピンと、ディスク装置本体５のスライド部材２２と対向する面に形成された図示しないスライドカム溝とにより構成されている。従って、この図示しないスライドカムピンは、トレイ２の搬出入方向への移動に連動して、この図示しないスライドカム溝を摺動する。これにより、トレイ２がディスク再生位置に移動した際には、このスライドカム機構がこのスライド部材２２によりシャッター６２を開いている。【００３０】
また、このトレイ２には、ほぼ中央部に開口部２３が形成されている。この開口部２３は、カートリッジ載置面２１に載置されたカートリッジ６に収納された収納ディスク１００や未収納ディスク載置面２１ａ，２１ｂに載置された未収納ディスク２００と、トラバースメカとを対向させるために形成されている。この開口部２３の搬入方向側両端部のうち一方の端部（図１−１右側端部）には、搬出入方向において対向する軸受け２４，２５が形成されている（図１−３参照）。【００３１】
リブアーム３は、カートリッジ６が載置されたトレイ２がディスク再生位置に移動した際におけるこのカートリッジ６に形成されたカートリッジリブ６１ｂと対向する位置に配置されている（図３−１参照）。このリブアーム３は、本体部３１と、回転軸３２，３３と、接触部３４とにより構成されている。【００３２】
本体部３１は、平板形状であり、搬出入方向において対向する両側面の幅方向における一方の端部（図１−３では右側端部）に回転軸３２，３３が搬出入方向に突出して形成されている。この回転軸３２，３３は、上記軸受２４，２５にそれぞれ支持される。従って、リブアーム３は、カートリッジ載置面２１に対して回転自在に支持される。ここで、リブアーム３の回転方向は、カートリッジ載置面２１に載置されたカートリッジ６に向かうあるいは離れる方向である。【００３３】
接触部３４は、カートリッジ６が載置されたトレイ２がディスク再生位置に移動した際に、カートリッジリブ６１ｂをトレイ側から押圧するものである。この接触部３４は、本体部の他方向端部（図１−３では左側端部）からカートリッジ５に向かう方向に突出して形成されている。【００３４】
アーム移動カム機構４は、図１−１〜図１−４に示すように、リブアーム移動手段であり、スライド部材２２とリブアーム３との間に配置されている。このアーム移動カム機構４は、カムピン４１とカム溝４２とにより構成されている。カムピン４１とカム溝４２とは、スライド部材２２とリブアーム３のそれぞれに個別に形成されるものであり、この実施例では、カムピン４１がリブアーム３にカム溝４２がスライド部材２２に形成されている。【００３５】
カムピン４１は、スライド部材２２の移動により、カム溝４２内を移動するものである。このカムピン４１は、リブアーム３の接触部３４のスライド部材２２と対向する面、すなわち搬入方向側端面から搬入方向に突出して形成されている。【００３６】
カム溝４２は、スライド部材２２の接触部３４と対向する面、すなわちカートリッジ６がトレイ２に載置された際にこのカートリッジ６と対向する面から搬入方向に向かって形成されている（図３−１参照）。カム溝４２は、一方の端部から他方の端部に向かって（図１−２の左側から右側）、回避位置領域４２ａ、傾斜領域４２ｂ、押圧位置領域４３ｃの順番でそれぞれ隣り合って形成されている。回避位置領域４２ａは、カム溝４２の一方の端部に位置し、幅方向と平行に形成されている。傾斜領域４２ｂは、スライド部材２２のリブアーム３に対して移動する方向、すなわちスライド部材の移動方向である幅方向に対して傾斜する方向に形成されている。押圧位置領域４２ｃは、カム溝４２の他方の端部に位置し、幅方向と平行に形成されている。【００３７】
ディスク装置本体５は、図１−１〜図１−４に示すように、収納空間部５１と、搬出入口５２と、扉部材５３とにより構成されている。収納空間部は、ディスク再生位置に移動したトレイ２を収納する部分である。搬出入口５２は、トレイ２に載置されたカートリッジ６に収納された収納ディスク１００あるいは未収納ディスク２００をディスク装置１−１に搬出入するものであり、ディスク装置本体５の搬出方向側端面に形成されている。扉部材５３は、搬出入口５２を開閉するものである。この扉部材５３は、トレイ２がディスク再生位置に移動した際に搬出入口５２を閉塞し、トレイがディスク再生位置からディスク載置位置まで移動する際に搬出入口を開放するものである。なお、このディスク装置本体５の収納空間部５１には、トレイ２を搬出入方向に移動自在に支持する複数のガイド部材が形成されている。【００３８】
カートリッジ６は、図３−１〜図３−３に示すように、収納ディスク１００を収納するものであり、本体６１と、シャッター６２と、位置決め穴６３とにより構成されている。本体６１は、カートリッジ６がトレイ２に載置された際の搬入方向側に開口するＵの字の切欠部６１ａが形成されている。また、本体６１には、収納ディスク１００を収納する収納部６１ｃが形成されている。この切欠部６１ａと収納部６１ｃは、連通している。この切欠部６１ａの開口側、カートリッジ６をトレイ２に載置した際における搬入方向側端部には、カートリッジリブ６１ｂが形成されている。このカートリッジリブ６１ｂは、カートリッジ６が載置されたトレイ２がディスク再生位置に移動した際に、トレイ２３の開口部を挟んで図示しないトラバースメカと対向する。【００３９】
シャッター６２は、この切欠部６１ａを覆うものであり、カートリッジ６がトレイ２に載置された際における幅方向のいずれにも移動自在に本体６１に支持されている。また、このシャッター６２は、先端部６２ａが本体６１の搬入方向側端部よりも搬入方向に突出して形成されている。このシャッター６２と、本体６１との間には、図示しない弾性部材が幅方向の両方向にそれぞれ配置されている。この各弾性部材は、このシャッター６２に外力が作用していない場合に、シャッター６２が常に切欠部６１ａを覆う位置となるように付勢するものである。【００４０】
位置決め穴６３は、カートリッジ６をトレイ２のカートリッジ載置面２１に載置した際に、トレイ２の位置決めピン２１ｃが挿入されるものである。これにより、カートリッジ６は、トレイ２に対して位置決め穴６３を中心とする回転方向以外の移動が規制される。【００４１】
複数のカートリッジ押さえ部材７は、カートリッジ６が載置されたトレイ２がディスク再生位置に移動した際に、この載置されたカートリッジ６をトレイ側に押圧するものである。各カートリッジ押さえ部材７は、この実施例１では、ディスク装置本体５の内壁面のうち、ディスク再生位置に移動したトレイ２のカートリッジ載置面２１に対向する位置から突出して設けられている。ここで、各カートリッジ押さえ部材７の内壁面から高さは、カートリッジ６が載置されたトレイ２がディスク再生位置に移動した際に、この載置されたカートリッジ６のトレイ側と反対側の面と接触することができる高さに設定されている。従って、カートリッジ６が載置されたトレイ２がディスク再生位置に移動した際に、複数のカートリッジ押さえ部材７は、この載置されたカートリッジ６をトレイ側に押圧する。【００４２】
なお、上記カートリッジ押さえ部材７は、ディスク装置本体５に固定されているが、この発明はこれに限定されるものではない。例えば、カートリッジ押さえ部材７をトレイ２に載置されたカートリッジ６に対して回転自在に支持し、カートリッジ６が載置されたトレイ２がディスク再生位置に移動した際に、カートリッジ押さえ部材７をカートリッジ６に向かう回転方向に回転させ、トレイ２に載置されたカートリッジ６をトレイ側に押圧しても良い。【００４３】
次に、ディスク装置１−１の組み立てについて説明する。まず、リブアーム３をトレイに取り付ける。ここでは、各軸受２４，２５により各回転軸３２，３３をそれぞれ支持する。これにより、リブアーム３は、カートリッジ載置面２１に対して回転自在に支持される。トレイ２をディスク装置本体５の図示しない複数のガイド部材により搬出入方向に移動自在に支持する。なお、ディスク装置１−１が組み立てられた状態では、図１−１〜図１−３に示すように、アーム移動カム機構４のカムピン４１がカム溝４２に沿って摺動可能にそれぞれ挿入される。【００４４】
次に、この実施例１にかかるディスク装置１−１の搬出入動作について説明する。ここでは、カートリッジ６を用いた搬出入動作について説明する。なお、未収納ディスク２００を用いた搬出入動作は、カートリッジ６の搬出入動作とカートリッジ６の代わりに未収納ディスク２００をトレイ２に載置以外は同一であるので、その説明は省略する。【００４５】
まず、カートリッジ６を搬入するために、カートリッジ６がトレイ２に載置されていない状態で搬出動作を行う。この搬出動作は、図１−１〜図１−４に示すように、トレイ２がディスク再生位置に移動した状態から開始される。このとき、スライド部材２２は、図示しないスライドカム機構により、幅方向のうち他方向、すなわち同図矢印Ａ方向と反対方向側（図１−１の左側）に位置している。ここで、アーム移動カム機構４は、カムピン４１がカム溝４２の押圧位置領域４２ｃに位置する。これにより、リブアーム３は、押圧位置に位置する。なお、この押圧位置にリブアーム３が位置すると、接触部３４の先端部は、そのカートリッジ載置面２１からの高さが、カートリッジ載置面２１から載置されたカートリッジ６の変形していないカートリッジリブ６１ｂのこのリブアーム３と対向する面までの高さ以上となる。【００４６】
次に、トレイ２がディスク再生位置に移動した状態から、図示しないトレイ移動手段を駆動する。これにより、トレイ２は、ディスク再生位置から搬出方向に向かって移動を開始し、図２−１〜図２−３に示すように、ディスク載置位置まで移動し、搬出動作が終了する。このとき、スライド部材２２は、図１−１に示すように、図示しないスライドカム機構により、幅方向のうち一方向、すなわち同図矢印Ａ方向に移動を開始し、図２−１に示すように、幅方向のうち一方向、すなわち同図矢印Ｃ方向と反対方向側（同図右側）に移動する。ここで、アーム移動カム機構４は、カムピン４１が、スライド部材２２の移動に連動して、カム溝４２の押圧位置領域４２ｃから傾斜領域４２ｂを通過して回避位置領域４２ａに移動する。これにより、リブアーム３は、図１−４に示すように、押圧位置から回避位置に向かう回転方向、すなわち同図矢印Ｂ方向に回転し、回避位置に移動する。つまり、カムピン４１が傾斜領域４２ｂを通過することで、リブアーム３が押圧位置から回避位置まで移動する。なお、この回避位置にリブアーム３が位置すると、接触部３４の先端部は、そのカートリッジ載置面２１からの高さが、カートリッジ載置面２１から載置されたカートリッジ６のシャッター６２のこのリブアーム３と対向する面までの高さ未満となる。【００４７】
次に、カートリッジ６の搬入動作について説明する。まず、ディスク載置位置に移動したトレイ２にカートリッジ６を載置する。ユーザーは、図３−１〜図３−３に示すように、ディスク装置１−１の外部に露出したトレイ２のカートリッジ載置面２１にカートリッジ６を載置する。このとき、カートリッジ６の位置決め穴６３に、トレイ２の位置決めピン２１ｃが挿入される。また、スライド部材２２は、同図に示すように、幅方向のうち一方向、すなわち同図矢印Ｃ方向と反対方向側（同図右側）に移動しているので、カートリッジ載置面２１にカートリッジ６が載置されると、スライド部材２２の突起部２２ｃは、シャッター６２の先端部６２ａの幅方向における一方の端部（同図右側）と対向する。ここで、リブアーム３は、回避位置に移動しているため、上述のように、カートリッジ載置面２１にカートリッジ６が載置されても、このカートリッジ６のシャッター６２と接触しない。【００４８】
次に、カートリッジ６がトレイ２に載置された後、図示しないトレイ移動手段を駆動する。このトレイ移動手段の駆動方向は、上記搬出動作における駆動方向と反対方向である。これにより、トレイ２は、ディスク載置位置から搬入方向に向かって移動を開始し、図４−１〜図４−３に示すように、ディスク再生位置まで移動し、カートリッジ６の搬入動作が終了する。このとき、スライド部材２２は、図３−１に示すように、図示しないスライドカム機構により、幅方向のうち他方向、すなわち同図矢印Ｃ方向に移動を開始し、図４−１に示すように、幅方向のうち他方向、すなわち同図矢印Ａ方向と反対方向側（同図左側）に移動する。従って、スライド部材２２の突起部２２ｃがシャッター６２の先端部６２ａと接触し、図３−１に示すように、このシャッター６２に同図矢印Ｃ方向の外力が加えられる。スライド部材２２は、この外力が図示しない弾性部材によりシャッター６２に作用する付勢力に対抗することで、シャッター６２とともに同図矢印Ｃ方向に移動し、図４−１に示すトレイ２がディスク再生位置に移動する前までに、幅方向のうち他方向、すなわち同図矢印Ａ方向と反対方向側（同図では左側）に移動する。これにより、スライド部材２２によりシャッター６２が開かれ、切欠部６１ａが外部に露出し、収納部６１ｃに収納されている収納ディスク１００が外部に露出する。【００４９】
また、複数のカートリッジ押さえ部材７は、トレイ２がディスク再生位置に移動することで、載置されたカートリッジ６と接触し、この載置されたカートリッジ６をトレイ側に押圧する。ここで、アーム移動カム機構４は、カムピン４１が、スライド部材２２の移動に連動、すなわちスライド部材２２によりシャッター６２を開く際に、カム溝４２の回避位置領域４２ａから傾斜領域４２ｂを通過して押圧位置領域４２ｃに移動する。これにより、リブアーム３は、図３−３に示すように、回避位置から押圧位置に向かう回転方向、すなわち同図矢印Ｄ方向に回転し、押圧位置に移動する。つまり、リブアーム移動手段であるアーム移動カム機構４は、シャッター６２が開いた際に、リブアーム３を押圧位置まで移動させる。【００５０】
リブアーム３が押圧位置に移動すると、図４−３に示すように、このリブアーム３の接触部３４が、シャッター６２が開かれたカートリッジ６のカートリッジリブ６１ｂと接触することとなる。さらに、カートリッジリブ６１が変形しているカートリッジ６がトレイ２に載置され、このカートリッジリブ６１がトレイ側に湾曲している状態では、リブアーム３がカートリッジリブ６１ｂをトレイ側から押圧することとなる。ここで、トレイ２に載置されたカートリッジ６は、上述のように、複数のカートリッジ押さえ部材７により、トレイ側に押圧されているので、リブアーム３によりトレイ側から押圧しても、カートリッジ載置面２１から浮き上がることはない。従って、リブアーム３が変形したカートリッジリブ６１ｂをトレイ側から押圧することで、この変形したカートリッジリブ６１ｂをトレイ側と反対側に変形させることができる。これにより、変形したカートリッジリブ６１ｂのカートリッジ載置面２１からの高さを変形していないカートリッジリブ６１ｂのカートリッジ載置面２１からの高さと同じ程度にすることができる。従って、変形しているカートリッジリブ６１ｂは、リブアーム３により押圧されていない場合と比較して、図示しないトラバースメカに搭載されている部品から離れることができ、変形したカートリッジリブ６１ｂがこのトラバースメカに搭載された部品と干渉することを抑制することができる。【００５１】
なお、ディスク装置１−１に搬入されたカートリッジ６を搬出する際には、カートリッジ６が載置されたトレイ２がディスク再生位置に移動した状態から、図示しないトレイ移動手段を駆動する。これにより、トレイ２は、ディスク再生位置から搬出方向に向かって移動を開始し、図３−１〜図３−３に示すように、ディスク載置位置まで移動し、カートリッジ６の搬出動作が終了する。このとき、スライド部材２２は、図４−１に示すように、図示しないスライドカム機構により、幅方向のうち一方向、すなわち同図矢印Ａ方向に移動を開始し、図３−１に示すように、幅方向のうち一方向、すなわち同図矢印Ｃ方向と反対方向側（同図右側）に移動する。従って、シャッター６２は、図示しない弾性部材によって作用する付勢力により、同図矢印Ｃ方向に移動し、切欠部６１ａを覆い、収納部６１ｃに収納されている収納ディスク１００が外部に露出されなくなる。【００５２】
ここで、アーム移動カム機構４は、カムピン４１が、スライド部材２２の移動に連動、すなわちスライド部材２２によりシャッター６２を閉じる前に、カム溝４２の押圧位置領域４２ｃから傾斜領域４２ｂを通過して回避位置領域４２ａに移動する。これにより、リブアーム３は、図４−３に示すように、押圧位置から回避位置に向かう回転方向、すなわち同図矢印Ｂ方向に回転し、回避位置に移動する。【００５３】
このように、この実施例１にかかるディスク装置１−１では、少なくともカートリッジ６に収納された収納ディスク１００に記録された情報の再生あるいはこの収納ディスク１００への情報の記録の少なくともいずれかを行うディスク装置１−１において、カートリッジ６を載置するカートリッジ載置面２１を有し、このカートリッジ６を載置するディスク載置位置から収納ディスク１００の再生記録を行うディスク再生位置までを移動するトレイ２と、トレイ２に載置されたカートリッジ６のシャッター６２をトレイ２がディスク再生位置に移動した際には開くスライド部材２２と、カートリッジ６が載置されたトレイ２がディスク再生位置に移動した際におけるカートリッジ６に形成されたカートリッジリブ６１ｂと対向し、カートリッジ載置面２１に対して回転自在に支持されるリブアーム３と、シャッター６２が閉じる前に、リブアーム３をシャッター６２と接触しない回避位置に移動させ、シャッター６２が開いた際に、リブアーム３をカートリッジリブ６１ｂのトレイ側に接触させ、カートリッジリブ６１ｂをトレイ側から押圧する押圧位置まで移動させるリブアーム移動手段であるアーム移動カム機構４と、トレイ２がディスク再生位置に移動した際に、トレイ２に載置されたカートリッジ６をトレイ側に押圧するカートリッジ押さえ手段である複数のカートリッジ押さえ部材７と、を備えることで、変形したカートリッジリブがトラバースメカに搭載されている部品と干渉することを抑制することができる。
【実施例２】
【００５４】
次に、実施例２にかかるディスク装置１−２について説明する。図５−１〜図５−３は、実施例２にかかるディスク装置の構成例を示す図である。図５−１〜図５−３に示す実施例２にかかるディスク装置１−２が図１−１〜図４−３に示す実施例１にかかるディスク装置１−１と異なる点は、リブアーム移動手段としてアーム移動カム機構４の代わりに、アーム付勢部材８１と、摺動ピン８２および摺動面８３からなるアーム維持手段とを備えるリブアーム移動手段８を用いる点である。なお、この実施例２にかかるディスク装置１−２の基本的構成のうち、実施例１にかかるディスク装置１−１の基本的構成と同一部分（図１−１〜図４−３と図５−１〜図５−３において同一符号部分）は、簡略化あるいは省略して説明する。【００５５】
リブアーム移動手段８は、図５−１および図５−２に示すように、アーム付勢部材８１と、摺動ピン８２と、摺動面８３とにより構成されている。アーム付勢部材８１は、アーム付勢手段であり、リブアーム３を回避位置から押圧位置に向かう回転方向、すなわち同図矢印Ｄ方向に付勢するものである。このアーム付勢部材８１は、この実施例２では、回転軸３３に支持されており、その一方の端部がリブアーム３と接触し、他方の端部がトレイ２と接触する。これにより、アーム付勢部材８１は、リブアーム３とトレイ２と間に配置され、リブアーム３に回避位置から押圧位置に向かう回転方向の付勢力を作用させる。【００５６】
摺動ピン８２は、アーム維持手段の一部を構成するものであり、リブアーム３の接触部３４のスライド部材２２と対向する面、すなわち搬入方向側端面から搬入方向に突出して形成されている。【００５７】
摺動面８３は、アーム維持手段の一部を構成するものであり、スライド部材２２の移動に伴って摺動ピン８２が摺動するものである。この摺動面８３は、スライド部材２２の摺動ピン８２と対向する面、すなわちカートリッジ６がトレイ２に載置された際にこのカートリッジ６と対向する面を切り欠くことで形成されている。摺動面８３は、一方の端部から他方の端部に向かって（図５−１の左側から右側）、回避位置面８３ａ、傾斜領域８３ａ、押圧位置面８３ｃの順番でそれぞれ隣り合って形成されている。回避位置面８３ａは摺動面８３の一方の端部に位置し、幅方向と平行に形成されている。傾斜面８３ｂは、スライド部材２２のリブアーム３に対して移動する方向、すなわちスライド部材の移動方向である幅方向に対して傾斜する方向に形成されている。押圧位置面８３ｃは、摺動面８３の他方の端部に位置し、幅方向と平行に形成されている。【００５８】
この実施例２にかかるディスク装置１−２では、カートリッジ６の搬出動作を行うと、すなわちトレイ２がディスク再生位置からディスク載置位置に移動すると、図５−３示すように、スライド部材２２が幅方向のうち一方向、すなわち同図矢印Ａ方向に移動し、シャッター６２を閉じる。このとき、摺動面８３もスライド部材２２とともに、摺動ピン８２に対して幅方向のうち一方向に移動する。ここで、リブアーム３にアーム付勢部材８１により回避位置から押圧位置に向かう回転方向の付勢力が作用しているため、摺動ピン８２は、摺動面８３の押圧位置面８３ｃから傾斜面８３ｂを通過して回避位置面８３ａに移動する。これにより、リブアーム３は、押圧位置から回避位置まで移動する。つまり、リブアーム移動手段８は、シャッター６２が閉じている間は、リブアーム３を回避位置に維持することができる。【００５９】
また、搬入動作を行うと、すなわちトレイ２がディスク載置位置からディスク再生位置に移動すると、図５−１示すように、スライド部材２２が幅方向のうち他方向、すなわち同図矢印Ｃ方向に移動し、摺動面８３が摺動ピン８２に対して幅方向のうち他方向に移動する。このとき、リブアーム３にアーム付勢部材８１により回避位置から押圧位置に向かう回転方向の付勢力が作用しているため、摺動ピン８２は、摺動面８３の回避位置面８３ａから傾斜面８３ｂを通過して押圧位置面８３ｃに移動する。これにより、リブアーム３は、回避位置から押圧位置まで移動する。つまり、リブアーム移動手段８は、シャッター６２が開いている間は、リブアーム３を押圧位置に維持することができる。【００６０】
このように、この実施例２にかかるディスク装置１−２では、リブアーム移動手段８は、リブアーム３を回避位置から押圧位置に向かう回転方向に付勢するアーム付勢手段であるアーム付勢部材８１と、シャッター６２が閉じている間は、リブアーム３を回避位置に維持する摺動ピン８２および摺動面８３から構成されるアーム維持手段とを備えるので、このアーム規制手段によりリブアーム３の回避位置からの移動を規制することができるので、簡単な構成で、変形したカートリッジリブ６１ｂが図示しないトラバースメカに搭載された部品と干渉することを抑制することができる。
【実施例３】
【００６１】
次に、実施例３にかかるディスク装置１−３について説明する。図６−１〜図７−２は、実施例３にかかるディスク装置の構成例を示す図である。図６−１〜図７−２に示す実施例３にかかるディスク装置１−３が図１−１〜図４−３に示す実施例１にかかるディスク装置１−１と異なる点は、リブアーム移動手段としてアーム移動カム機構４の代わりに、アーム付勢部材９１と、アーム維持手段である維持部材９２とを備えるリブアーム移動手段９を用いる点である。なお、この実施例３にかかるディスク装置１−３の基本的構成のうち、実施例１にかかるディスク装置１−１の基本的構成と同一部分（図１−１〜図４−３と図６−１〜図７−２において同一符号部分）は、簡略化あるいは省略して説明する。【００６２】
リブアーム３は、本体部３１と、回転軸３２，３３と、接触部３４と、回転部３６と、摺動部３７と、回転軸３８とにより構成されている。回転部３６は、平板形状であり、ほぼ中央部に回転軸がスライド部材２２に向かう方向、すなわち搬入方向に突出して形成されている。回転部３６は、一方の端部に維持部材９２と対向し、搬出入方向に延在する摺動部３７が形成され、他方の端部に本体部３１が形成されている。回転軸３８は、トレイ２に形成された軸受２６に支持され、回転部３６がスライド部材２２に対向して回転自在に支持される。これにより、リブアーム３は、カートリッジ載置面２１に対して回転自在に支持される。【００６３】
リブアーム移動手段９は、図６−１〜図７−２に示すように、アーム付勢部材９１と、アーム維持手段である維持部材９２とにより構成されている。アーム付勢部材９１は、アーム付勢手段であり、リブアーム３を押圧位置から回避位置に向かう回転方向、すなわち図６−２に示す矢印Ｊ方向と反対方向に付勢するものである。このアーム付勢部材９１は、この実施例３では、回転軸３８に支持されており、その一方の端部がリブアーム３と接触し、他方の端部がトレイ２と接触する。これにより、アーム付勢部材９１は、リブアーム３とトレイ２と間に配置され、リブアーム３に押圧位置から回避位置に向かう回転方向、すなわち同図矢印Ｊ方向と反対方向の付勢力を作用させる。【００６４】
維持部材９２は、アーム維持手段であり、トレイ２の移動に連動して、リブアーム３の摺動部３７が摺動するものである。この維持部材９２は、ディスク装置本体５の図示しない内壁面のうち、トレイ２のカートリッジ載置面側と対向する面に形成されている。維持部材９２は、搬出入方向に延在する平板形状であり、回避位置部９２ａと、押圧位置部９２ｂとにより構成されている。【００６５】
回避位置部９２ａは、押圧位置部９２ｂよりも搬出方向側に位置し、上記図示しない内壁面からの高さがこの押圧位置部９２ｂよりも低くなるように形成されている。この回避位置部９２ｂに摺動部３７が接触すると、接触部３４の先端部は、そのカートリッジ載置面２１からの高さが、カートリッジ載置面２１から載置されたカートリッジ６のシャッター６２のこのリブアーム３と対向する面までの高さ未満となる。また、この押圧位置部９２ｂに摺動部３７が接触すると、接触部３４の先端部は、そのカートリッジ載置面２１からの高さが、カートリッジ載置面２１から載置されたカートリッジ６の変形していないカートリッジリブ６１ｂのこのリブアーム３と対向する面までの高さ以上となる。【００６６】
この実施例３にかかるディスク装置１−３では、カートリッジ６の搬入動作を行うと、すなわちトレイ２がディスク載置位置からディスク載置位置に移動すると、図６−１および図６−２に示すように、スライド部材２２が幅方向のうち一方向、すなわち同図矢印Ｃ方向に移動し、シャッター６２を開く。このとき、リブアーム３の摺動部３７は、維持部材９２に対して搬入方向に移動し、回避位置部９２ａから押圧位置部９２ｂまで摺動する。従って、このシャッター６２が開いた際には、この摺動部３７は、アーム付勢部材８１によりリブアーム３に作用する押圧位置から回避位置に向かう回転方向の付勢力に対抗して、図６−２に示す矢印Ｉ方向に移動する。これにより、リブアーム３は、回転軸３８を中心に同図矢印Ｊ方向に回転し、回避位置から押圧位置まで移動する。つまり、リブアーム移動手段９は、カートリッジ６のシャッター６２が開いている間は、リブアーム３を押圧位置に維持することができる。【００６７】
また、カートリッジ６の搬入動作を行うと、すなわちトレイ２がディスク再生位置からディスク載置位置に移動すると、図７−１および図７−２に示すように、スライド部材２２が幅方向のうち他方向、すなわち同図矢印Ａ方向に移動し、シャッター６２を閉じる。このとき、リブアーム３の摺動部３７は、維持部材９２に対して搬出方向に移動し、アーム付勢部材８１によりリブアーム３に作用する押圧位置から回避位置に向かう回転方向の付勢力により、押圧位置部９２ｂから回避位置部９２ａまで摺動する。従って、このシャッター６２が閉じた際には、リブアーム３は、回転軸３８を中心に同図矢印Ｋ方向に回転し、押圧位置から回避位置まで移動する。つまり、リブアーム移動手段９は、カートリッジ６のシャッター６２が閉じている間は、リブアーム３を回避位置に維持することができる。【００６８】
このように、この実施例３にかかるディスク装置１−３では、リブアーム移動手段９は、リブアーム３を押圧位置から回避位置に向かう回転方向に付勢するアーム付勢手段であるアーム付勢部材９１と、シャッター６２が開いている間は、リブアーム３を押圧位置に維持するアーム維持手段である維持部材９２とを備えるので、この維持部材９２によりリブアーム３の押圧位置からの移動を規制することができるので、簡単な構成で、変形したカートリッジリブ６１ｂが図示しないトラバースメカに搭載された部品と干渉することを抑制することができる。【００６９】
なお、この実施例１〜３にかかるディスク装置１−１〜１−３では、リブアームを１つ備えるが、この発明はこれに限定されるものではない。例えば、幅方向において対向して、２つのリブアームを備えても良い。これにより、変形したカートリッジリブ６１ｂが図示しないトラバースメカに搭載された部品と干渉することを確実に抑制することができる。
【産業上の利用可能性】
【００７０】
以上のように、この発明にかかるディスク装置は、少なくともカートリッジに収納された収納ディスクに記録された情報の再生あるいはこの収納ディスクへの情報の記録の少なくともいずれか一方を行うディスク装置に有用であり、特に、変形したカートリッジリブがトラバースメカに搭載されている部品と干渉することを抑制するのに適している。
【図１−１】
2007066736.tif 000003
【図１−２】
2007066736.tif 000004
【図１−３】
2007066736.tif 000005
【図１−４】
2007066736.tif 000006
【図２−１】
2007066736.tif 000007
【図２−２】
2007066736.tif 000008
【図２−３】
2007066736.tif 000009
【図３−１】
2007066736.tif 000010
【図３−２】
2007066736.tif 000011
【図３−３】
2007066736.tif 000012
【図４−１】
2007066736.tif 000013
【図４−２】
2007066736.tif 000014
【図４−３】
2007066736.tif 000015
【図５−１】
2007066736.tif 000016
【図５−２】
2007066736.tif 000017
【図５−３】
2007066736.tif 000018
【図６−１】
2007066736.tif 000019
【図６−２】
2007066736.tif 000020
【図７−１】
2007066736.tif 000021
【図７−２】
2007066736.tif 000022
【手続補正書】
【提出日】平成19年7月20日(2007.7.20)
【手続補正１】
【補正対象書類名】特許請求の範囲
【補正対象項目名】請求項１
【補正方法】変更
【補正の内容】
【請求項１】
少なくともカートリッジ（６）に収納された収納ディスク（１００）に記録された情報の再生あるいは当該収納ディスク（１００）への情報の記録の少なくともいずれか一方を行うディスク装置（１−１；１−２；１−３）において、
前記カートリッジ（６）を載置するカートリッジ載置面（２１）を有し、当該カートリッジ（６）を載置するディスク載置位置から前記収納ディスク（１００）の再生記録を行うディスク再生位置までを移動するトレイ（２）と、
前記トレイ（２）に載置されたカートリッジ（６）のシャッター（６２）を前記トレイ（２）がディスク再生位置に移動した際には開くスライド部材（２２）と、
前記カートリッジ（６）が載置された際に当該カートリッジ（６）の搬入方向側に開口して形成される切欠部（６１ａ）の搬入方向側端部に形成され、当該カートリッジ（６）が載置されたトレイ（２）がディスク再生位置に移動した際において、前記シャッター（６２）が開くことで外部に露出するカートリッジリブ（６１ｂ）と対向し、前記カートリッジ載置面（２１）に対して回転自在に支持されるリブアーム（３）と、
前記シャッター（６２）が閉じる前に、当該シャッター（６２）と接触しない回避位置に前記リブアーム（３）を移動させ、当該シャッター（６２）が開いた際に、前記カートリッジリブ（６１ｂ）のトレイ側に接触させ、当該カートリッジリブ（６１ｂ）が変形してトレイ側に湾曲していると、当該カートリッジリブ（６１ｂ）をトレイ側から押圧する押圧位置まで前記リブアーム（３）を移動させるリブアーム移動手段と、
前記トレイ（２）がディスク再生位置に移動した際に、当該トレイ（２）に載置されたカートリッジ（６）をトレイ側に押圧するカートリッジ押さえ手段（７）と、
を備えることを特徴とするディスク装置（１−１；１−２；１−３）。
【手続補正２】
【補正対象書類名】明細書
【補正対象項目名】０００２
【補正方法】変更
【補正の内容】
【０００２】
［０００６］
ところで、カートリッジには、シャッターが開かれた際に、収納されている収納ディスクを外部に露出するための切欠部が形成されている。この切欠部は、トレイに載置された際における搬入方向に開口するＵ字形状である。この切欠部の開口側には、カートリッジリブが形成されている。このカートリッジリブは、カートリッジが載置されたトレイがディスク再生位置に移動した際に、上記ピックアップなどを搭載したトラバースメカと対向することとなる。従って、カートリッジリブは、トラバースメカに搭載された部品と干渉することを防止するために、その厚さが薄く形成されている。
［０００７］
従って、このカートリッジリブは、ディスク装置が発生する熱や経年変化により変形し、規定寸法と異なってしまう虞がある。これにより、トレイにカートリッジを載置した際に、変形したカートリッジリブがトラバースメカに搭載された部品と干渉する虞がある。
［０００８］
この発明は、上述した課題をその一例として解決するものであって、変形したカートリッジリブがトラバースメカに搭載されている部品と干渉することを抑制することができるディスク装置を提供することを目標とする。
課題を解決するための手段
［０００９］
本発明の請求項１に記載のディスク装置は、少なくともカートリッジに収納された収納ディスクに記録された情報の再生あるいは当該収納ディスクへの情報の記録の少なくともいずれか一方を行うディスク装置において、前記カートリッジを載置するカートリッジ載置面を有し、当該カートリッジを載置するディスク載置位置から前記収納ディスクの再生記録を行うディスク再生位置までを移動するトレイと、前記トレイに載置されたカートリッジのシャッターを前記トレイがディスク再生位置に移動した際には開くスライド部材と、前記カートリッジが載置された際に当該カートリッジの搬入方向側に開口して形成される切欠部の搬入方向側端部に形成され、当該カートリッジが載置されたトレイがディスク再生位置に移動した際において、前記シャッターが開くことで外部に露出するカートリッジリブと対向し、前記カートリッジ載置面に対して回転自在に支持されるリブアームと、前記シャッターが閉じる前に、当該シャッターと接触しない回避位置に前記リブアームを移動させ、当該シャッターが開いた際に、前記カートリッジリブのトレイ側に接触させ、当該カートリッジリブが変形してトレイ側に湾曲していると、当該カートリッジリブをトレイ側から押圧する押圧位置まで前記リブアームを移動させるリブアーム移動手段と、前記トレイがディスク再生位置に移動した際に、当該トレイに載置されたカートリッジをトレイ側に押圧するカートリッジ押さえ手段と、を備えることを特徴とする。
【手続補正３】
【補正対象書類名】明細書
【補正対象項目名】０００６
【補正方法】変更
【補正の内容】
【０００６】
情報の再生あるいはこの収納ディスクあるいは未収納ディスクのいずれかへの情報の記録を行うことができるディスク装置について説明するが、これに限定されるものではない。例えば、トレイにカートリッジ載置面のみしか形成されておらず、カートリッジに収納された収納ディスクのみに記録された情報の再生およびディスクへの情報の記録を行うことができるディスク装置であっても良い。
［００１４］
〔実施の形態１〕
この実施の形態１に係るディスク装置は、少なくともカートリッジに収納されたディスクに記録された情報の再生あるいは当該ディスクへの情報の記録の少なくともいずれか一方を行い、トレイと、スライド部材と、リブアームと、リブアーム移動手段とを備える。トレイは、カートリッジを載置するカートリッジ載置面が形成されている。このトレイは、このカートリッジが載置できるディスク載置位置からこの収納ディスクの再生記録を行うディスク再生位置までを移動するものである。スライド部材は、トレイに載置されたカートリッジのシャッターをこのトレイがディスク再生位置に移動した際には開くものである。リブアームは、カートリッジが載置されたトレイがディスク再生位置に移動した際において、シャッターが開くことで外部に露出するカートリッジリブと対向し、このカートリッジ載置面に対して回転自在に支持されるものである。リブアーム移動手段は、シャッターが閉じる前に、シャッターと接触しない回避位置にリブアームを移動させ、シャッターが開いた際に、カートリッジリブのトレイ側に接触させ、カートリッジリブが変形してトレイ側に湾曲していると、カートリッジリブをトレイ側から押圧する押圧位置までリブアームを移動させるものである。
［００１５］
この実施の形態１に係るディスク装置では、上記構成を特徴とすることで、リブアームは、リブアーム移動手段によりシャッターが開いた際に、外部に露出するカートリッジリブのトレイ側に接触し、当該カートリッジリブが変形してトレイ側に湾曲していると、このカートリッジリブをトレイ側から押圧する。従って、カートリッジリブが変形していても、リブアームによりこの変形したカートリッジリブは、トレイ側から押圧される。ここで、トレイに載置されたカートリッジは、カートリッジ押さえ手段によりトレイ側に押圧されている。従って、カートリッジがカートリッジ載置面から浮き上がることがないので、リブアームは、変形したカートリッジリブをトレイ側から押圧することで、トレイ側と反対側に変形させることができる。これにより、変形しているカートリッジリブは、リブアームにより押圧されていない場合と比較して、トラバースメカに搭載されている部品から離れることができ、変形したカートリッジリブがトラバースメカに搭載さ
【手続補正４】
【補正対象書類名】明細書
【補正対象項目名】００１７
【補正方法】変更
【補正の内容】
【００１７】
覆い、収納部６１ｃに収納されている収納ディスク１００が外部に露出されなくなる。
［００５２］
ここで、アーム移動カム機構４は、カムピン４１が、スライド部材２２の移動に連動、すなわちスライド部材２２によりシャッター６２を閉じる前に、カム溝４２の押圧位置領域４２ｃから傾斜領域４２ｂを通過して回避位置領域４２ａに移動する。これにより、リブアーム３は、図４−３に示すように、押圧位置から回避位置に向かう回転方向、すなわち同図矢印Ｂ方向に回転し、回避位置に移動する。
［００５３］
このように、この実施例１にかかるディスク装置１−１では、少なくともカートリッジ６に収納された収納ディスク１００に記録された情報の再生あるいはこの収納ディスク１００への情報の記録の少なくともいずれかを行うディスク装置１−１において、カートリッジ６を載置するカートリッジ載置面２１を有し、このカートリッジ６を載置するディスク載置位置から収納ディスク１００の再生記録を行うディスク再生位置までを移動するトレイ２と、トレイ２に載置されたカートリッジ６のシャッター６２をトレイ２がディスク再生位置に移動した際には開くスライド部材２２と、カートリッジ６が載置された際にカートリッジ６の搬入方向側に開口して形成される切欠部６１ａの搬入方向側端部に形成され、カートリッジ６が載置されたトレイ２がディスク再生位置に移動した際において、シャッター６２が開くことで外部に露出するカートリッジリブ６１ｂと対向し、カートリッジ載置面２１に対して回転自在に支持されるリブアーム３と、シャッター６２が閉じる前に、シャッター６２と接触しない回避位置にリブアーム３を移動させ、シャッター６２が開いた際に、カートリッジリブ６１ｂのトレイ側に接触させ、カートリッジリブ６１ｂが変形してトレイ側に湾曲していると、カートリッジリブ６１ｂをトレイ側から押圧する押圧位置までリブアーム３を移動させるリブアーム移動手段であるアーム移動カム機構４と、トレイ２がディスク再生位置に移動した際に、トレイ２に載置されたカートリッジ６をトレイ側に押圧するカートリッジ押さえ手段である複数のカートリッジ押さえ部材７と、を備えることで、変形したカートリッジリブがトラバースメカに搭載されている部品と干渉することを抑制することができる。
実施例２
［００５４］
次に、実施例２にかかるディスク装置１−２について説明する。図５−１〜図５−３は、実施例２にかかるディスク装置の構成例を示す図である。図５−１〜図５−３に示す実施例２にかかるディスク装置１−２が図１−１〜図４−３に示す実施例１にかかるディスク装置１−１と異なる点は、リブアーム移動手段としてアーム移動カム機構４の代わりに、アーム付勢部材８１と、摺動ピン８２および摺動面８３からなるアーム維持手段
【国際調査報告】
2007066736.tif 000023
2007066736.tif 000024
2007066736.tif 000025
2007066736.tif 000026
2007066736.tif 000027
2007066736.tif 000028
2007066736.tif 000029
2007066736.tif 000030